【手続補正書】
【提出日】平成30年7月26日(2018.7.26)
【手続補正１】
【補正対象書類名】明細書
【補正対象項目名】０００６
【補正方法】変更
【補正の内容】
【０００６】
前記課題を解決するため、本発明に係る画像管理装置の一態様は、
関連性を有する複数の画像を取得する第１画像取得手段と、
前記第１画像取得手段により取得された前記複数の画像に関連する語句をユーザから取得する語句取得手段と、
前記語句取得手段により前記ユーザから取得された前記語句と、前記第１画像取得手段により取得された前記複数の画像のうちの少なくとも一つの画像と、に基づいて、前記複数の画像の内容を表すための説明用画像を取得する第２画像取得手段と、
前記第２画像取得手段により取得された前記説明用画像と前記第１画像取得手段により取得された前記複数の画像とを対応付ける対応付け手段と、
を備える、
ことを特徴とする。
【手続補正２】
【補正対象書類名】明細書
【補正対象項目名】０００７
【補正方法】変更
【補正の内容】
【０００７】
また、前記課題を解決するため、本発明に係る画像管理方法の一態様は、
画像管理装置を用いた画像管理方法であって、
関連性を有する複数の画像を取得する処理と、
取得された前記複数の画像に関連する語句をユーザから取得する処理と、
前記ユーザから取得された前記語句と、取得された前記複数の画像のうちの少なくとも一つの画像と、に基づいて、前記複数の画像の内容を表すための説明用画像を取得する処理と、
取得された前記説明用画像と前記複数の画像とを対応付ける処理と、
を含む、
ことを特徴とする。
【手続補正３】
【補正対象書類名】明細書
【補正対象項目名】０００８
【補正方法】変更
【補正の内容】
【０００８】
また、前記課題を解決するため、本発明に係るプログラムの一態様は、
画像管理装置のコンピュータを、
関連性を有する複数の画像を取得する第１画像取得手段、
前記第１画像取得手段により取得された前記複数の画像に関連する語句をユーザから取得する語句取得手段、
前記語句取得手段により前記ユーザから取得された前記語句と、前記第１画像取得手段により取得された前記複数の画像のうちの少なくとも一つの画像と、に基づいて、前記複数の画像の内容を表すための説明用画像を取得する第２画像取得手段、
前記第２画像取得手段により取得された前記説明用画像と前記第１画像取得手段により取得された前記複数の画像とを対応付ける対応付け手段、
として機能させる、
ことを特徴とする。
【手続補正４】
【補正対象書類名】特許請求の範囲
【補正対象項目名】全文
【補正方法】変更
【補正の内容】
【特許請求の範囲】
【請求項１】
関連性を有する複数の画像を取得する第１画像取得手段と、
前記第１画像取得手段により取得された前記複数の画像に関連する語句をユーザから取得する語句取得手段と、
前記語句取得手段により前記ユーザから取得された前記語句と、前記第１画像取得手段により取得された前記複数の画像のうちの少なくとも一つの画像と、に基づいて、前記複数の画像の内容を表すための説明用画像を取得する第２画像取得手段と、
前記第２画像取得手段により取得された前記説明用画像と前記第１画像取得手段により取得された前記複数の画像とを対応付ける対応付け手段と、
を備える、
ことを特徴とする画像管理装置。
【請求項２】
前記第２画像取得手段は、前記語句に基づいて、前記第１画像取得手段により取得された前記複数の画像の中から、前記説明用画像を取得する、
ことを特徴とする請求項１に記載の画像管理装置。
【請求項３】
前記複数の画像及びその他の画像を記録する記録手段を更に備え、
前記第２画像取得手段は、前記語句に基づいて、前記記録手段に記録されている全ての画像の中から、前記説明用画像を取得する、
ことを特徴とする請求項１に記載の画像管理装置。
【請求項４】
画像を記録する記録サーバと通信する通信手段を更に備え、
前記第２画像取得手段は、前記語句に基づいて、前記通信手段による前記記録サーバとの通信によって、前記記録サーバに記録されている画像の中から、前記説明用画像を取得する、
ことを特徴とする請求項１に記載の画像管理装置。
【請求項５】
前記第２画像取得手段により取得された前記説明用画像と前記語句取得手段により前記ユーザから取得された前記語句とを合成して第１の合成画像を生成する第１合成手段を更に備え、
前記対応付け手段は、前記第１合成手段により生成された前記第１の合成画像と前記複数の画像とを対応付ける、
ことを特徴とする請求項１乃至４の何れか１項に記載の画像管理装置。
【請求項６】
前記第２画像取得手段は、前記語句取得手段により前記ユーザから取得された少なくとも一つの前記語句と、前記第１画像取得手段により取得された前記複数の画像のうちの少なくとも一つの画像と、に基づいて、前記説明用画像を複数取得し、
前記第２画像取得手段により取得された前記複数の説明用画像を合成して第２の合成画像を生成する第２合成手段を更に備え、
前記対応付け手段は、前記第２合成手段により生成された前記第２の合成画像と前記複数の画像とを対応付ける、
ことを特徴とする請求項１乃至５の何れか１項に記載の画像管理装置。
【請求項７】
前記第２合成手段は、更に、前記第２画像取得手段により取得された前記複数の説明用画像と前記語句取得手段により前記ユーザから取得された少なくとも一つの前記語句とを合成して前記第２の合成画像を生成する、
ことを特徴とする請求項６に記載の画像管理装置。
【請求項８】
前記第１画像取得手段により取得された前記複数の画像の中から、前記語句取得手段により前記ユーザから取得された前記語句に対応する画像を抽出する抽出手段を更に備え、
前記対応付け手段は、前記抽出手段により抽出されて前記語句に対応する画像と前記第２画像取得手段により取得された前記説明用画像とを対応付ける、
ことを特徴とする請求項１乃至７の何れか１項に記載の画像管理装置。
【請求項９】
前記対応付け手段は、前記説明用画像を前記複数の画像に追加することで対応付けを行う、
ことを特徴とする請求項１乃至８の何れか１項に記載の画像管理装置。
【請求項１０】
前記対応付け手段は、前記説明用画像を前記複数の画像の先頭に追加することで対応付けを行う、
ことを特徴とする請求項９に記載の画像管理装置。
【請求項１１】
前記対応付け手段により前記複数の画像と対応付けられた前記説明用画像を表示手段に表示させる表示制御手段を更に備える、
ことを特徴とする請求項１乃至１０の何れか１項に記載の画像管理装置。
【請求項１２】
撮像手段を更に備え、
前記第１画像取得手段は、前記撮像手段により撮像された前記複数の画像を取得する、
ことを特徴とする請求項１乃至１１の何れか１項に記載の画像管理装置。
【請求項１３】
音声入力手段を更に備え、
前記語句取得手段は、前記複数の画像に関連する前記語句を前記ユーザから前記音声入力手段を介して音声入力されて取得する、
ことを特徴とする請求項１乃至１２の何れか１項に記載の画像管理装置。
【請求項１４】
前記撮像手段により被写体の動画像の撮像が行われている際に、
前記第１画像取得手段は、前記撮像手段により撮像された前記動画像から前記複数の画像を取得し、
前記対応付け手段は、前記第２画像取得手段により取得された前記説明用画像と前記第１画像取得手段により取得された前記複数の画像とを対応付ける、
ことを特徴とする請求項１２に記載の画像管理装置。
【請求項１５】
音声入力手段を更に備え、
前記語句取得手段は、前記動画像の撮像前又は撮像中に前記音声入力手段を介して、前記複数の画像に関連する前記語句を前記ユーザから取得する、
ことを特徴とする請求項１４に記載の画像管理装置。
【請求項１６】
画像管理装置を用いた画像管理方法であって、
関連性を有する複数の画像を取得する処理と、
取得された前記複数の画像に関連する語句をユーザから取得する処理と、
前記ユーザから取得された前記語句と、取得された前記複数の画像のうちの少なくとも一つの画像と、に基づいて、前記複数の画像の内容を表すための説明用画像を取得する処理と、
取得された前記説明用画像と前記複数の画像とを対応付ける処理と、
を含む、
ことを特徴とする画像管理方法。
【請求項１７】
画像管理装置のコンピュータを、
関連性を有する複数の画像を取得する第１画像取得手段、
前記第１画像取得手段により取得された前記複数の画像に関連する語句をユーザから取得する語句取得手段、
前記語句取得手段により前記ユーザから取得された前記語句と、前記第１画像取得手段により取得された前記複数の画像のうちの少なくとも一つの画像と、に基づいて、前記複数の画像の内容を表すための説明用画像を取得する第２画像取得手段、
前記第２画像取得手段により取得された前記説明用画像と前記第１画像取得手段により取得された前記複数の画像とを対応付ける対応付け手段、
として機能させる、
ことを特徴とするプログラム。